(57)【要約】【課題】土壌機能・保水性能を簡略化し、軽量化を図るとともに、移動・撤去を容易にした。【解決手段】貯水用トレー１と、貯水用トレー１上に設置されるとともに、底面の複数箇所に形成した孔を介して貯水トレー１に連通させた土壌保持トレー２と、土壌保持トレー２上に充填される土壌層であって、繊維をマット状に成形した多孔質マット材８を層状に有する土壌層１２と、土壌層１２の上面から土壌保持トレー２の底面を抱持するようにして設けた吸水性シート材１０と、を備える。【選択図】      図２
0003141876.tif 000002
【実用新案登録請求の範囲】
【請求項１】
貯水用トレー（１）と、貯水用トレー（１）上に設置されるとともに、底面の複数箇所に形成した孔を介して貯水トレー（１）に連通させた土壌保持トレー（２）と、土壌保持トレー（２）上に充填される土壌層であって、繊維をマット状に成形した多孔質マット材（８）を層状に有する土壌層（１２）と、土壌層（１２）と土壌保持トレー（２）とを抱持するようにして設けた吸水性シート材（１０）と、を備えたことを特徴とする緑化ユニット。
【請求項２】
前記土壌層（１２）は、ポリプロピレン繊維をマット状に成形した前記多孔質マット材（８）の上下部に第２の土壌（９）及び第１の土壌（７）を設けた３層構造になることを特徴とする請求項１に記載の緑化ユニット。
【請求項３】
前記吸水性シート材（１０）は、不織布又は織り布による布製であることを特徴とする請求項１又は２に記載の緑化ユニット。
【請求項４】
前記土壌保持トレー（２）の内底面には、前記土壌層（１２）内に挿入されて該土壌層（１２）を保持する複数の保持用突起（３）が突出形成されていることを特徴とする請求項１乃至３のいずれか１項記載の緑化ユニット。
【請求項５】
前記土壌層（１２）若しくは吸水性シート材（１０）の上面に、芝草等の植物を生育させるようにしたことを特徴とする請求項１乃至４のいずれか１項記載の緑化ユニット。
【考案の詳細な説明】
【技術分野】
【０００１】
本考案は、バルコニーや屋上などに敷設されて緑化用の培地となる緑化ユニットに関するものである。
【背景技術】
【０００２】
近年の温暖化対策として、バルコニーや屋上などの緑化の重要性が高まっているが、緑化による高を得るためには、表面をより多くみどりで覆う必要がある。
【考案の開示】
【考案が解決しようとする課題】
【０００３】
しかし、表面全体を緑で覆うために、軽量化された土を用いたとしても、建築基準法で定められている地震用の積載荷重６０／ｍ2 を超えてしまい、構造躯体の強化が必要になる。また、防水層の耐用年数は、１０〜３０年程度であるため、バルコニーなどの防水層を改修する際に、一度防水層上部にある土壌を撤去する必要があり、それまでに育てた緑を壊すことになる。
【０００４】
本考案は以上の課題を解決するためになされたものであり、その目的とするところは、土壌機能・保水性能を簡略化し、軽量化を図るとともに、施工及び施工後の移動・撤去を容易にした緑化ユニットを提供するものである。
【課題を解決するための手段】
【０００５】
前記目的を達成するため、本考案の緑化ユニット２０は、貯水用トレー１と、貯水用トレー１上に設置されるとともに、底面の複数箇所に形成した孔を介して貯水トレー１に連通させた土壌保持トレー２と、土壌保持トレー２上に充填される土壌層であって、繊維をマット状に成形した多孔質マット材８を層状に有する土壌層１２と、土壌層１２の上面から土壌保持トレー２の底面を抱持するようにして設けた吸水性シート材１０と、を備え、たことを特徴としている。
【０００６】
土壌層１２若しくは吸水性シート材１０上には、芝生等の植物を生育させるようにしている。
【０００７】
前記土壌層１２は、ポリプロピレン等の合成繊維をマット状に成形した中間部の上記多孔質マット材８の上下部に第２の土壌９及び第１の土壌７を設けた３層構造になることを特徴としている。土壌層１２は、上記多孔質マット材と土壌との二層構造であっても良い。
【０００８】
前記吸水性シート材１０は、不織布又は織り布によるガーゼ等の布製であることが望ましい。
【０００９】
前記貯水用トレー１と土壌保持トレー２とは、共に平面視略矩形状のプラスチック成型体により形成された容器であり、土壌保持トレー２の底面の複数個所には凸状の脚部５が突出されると共に、該脚部５及び底面の他の複数個所には、連通孔５ａ，６が形成されているものを用いることができる。
【００１０】
前記土壌保持トレー２の内底面には、前記土壌層１２内に挿入されて該土壌層１２を保持する複数の保持用突起３が突出形成されていることが望ましい。この場合、土壌層を構成する多孔質マット材８には、保持用突起３が下方から挿入される上下方向の切り込みが形成されている。
【考案の効果】
【００１１】
従って、本考案によれば、緑化ユニットを屋上、バルコニーに一面に敷詰めることにより、これら全体を緑で覆われることになるほか、各ユニットの配置形状に応じた模様の緑化デザインが可能である。また施工及び施工後の移動、撤去は、各ユニット毎に行えるため、労力が少なく、しかも育てた緑化を破壊することなく行うことができる。
【００１２】
また、本考案によれば、土壌層内に、多孔質マット材、望ましくはポリプロピレン等の合成繊維をマット状に成形したマットを入れ、貯水用トレーから水分及び養液を供給させるようにしているので、軽量である割には、植生の根張りを確保するための見かけ上の土壌厚みを確保でき、水分及び養液の供給も良好となる。
【００１３】
本考案では、土壌層全体を吸水性シート材、望ましくは布で覆っているので、土壌層への水分の供給を永続的に行わせることができ、水涸れがなく、運搬時の土の飛散も防止することができる。
【００１４】
本考案では、土壌層及び土壌層を保持する土壌保持トレーを、吸水性シート材により包持し、ユニット化しており、取り扱い及び施工性が極めて便利である。
【考案を実施するための最良の形態】
【００１５】
図１は本考案の緑化ユニットに用いられるトレーを示し、平面視矩形状の貯水用トレー１と、貯水用トレーの上面に位置決め設置される平面視矩形状の土壌保持用トレー２とを備えており、それぞれ、一辺が約２０cm程度に形成されることにより、芝草４枚程度を敷設できる面積に設定されている。
【００１６】
貯水用トレー１は、浅底容器状をなしたものであり、土壌保持用トレー２の底部形状に適合して複数のエンボス１ａが形成されているとともに、その内周部には、図示しないが、土壌保持用トレー２の底部周縁を支持する位置決め用突起などが突設されている。
【００１７】
土壌保持用トレー２は、貯水用トレーよりは深底であって、土壌の移動を規制する複数の十字形の支持用リブよりなる保持用突起３およびパイプ状のボス４をその内底面より上部側に向けて突設しているとともに、複数箇所には貯水用トレー１上に設置される脚部５を下部側に向けて突設している。この脚部４の底面は、図２に示すように、貯水用トレー１に連通する連通孔５ａを開口しているほか、突起３およびボス４の間にあって、土壌保持用トレーの底面にはその上下を貫通する複数の連通孔６を開口させている。
【００１８】
以上において、図２（ａ）に示すように、土壌保持用トレー２の底面に、毛管現象を誘発するために第１の土壌７を所定厚みまで充填し、その上面にポリプロピレン製多孔マットよりなる多孔質マット材８（重さ約１．１kg／ｍ2 ）を入れ軽量化を図る。ポリプロピレン製多孔マットは、柔らかく、歩行感に問題が生じるため、土壌保持用トレー２には、内部に上記突起３およびボス４を有するものを用いる。該突起３およびボス４の感触を和らげるために、突起３（またはボス４）の上部を覆って表土とな第２の土壌９を充填する。土壌層１２を入れる土壌保持用トレー２は、耐根層を兼ねる。図２（ｂ）に示すように、ガーゼ等よりなる布製の吸水性シート材１０で第２の土壌９を被覆するとともに、土壌保持用トレー２を抱持する。
【００１９】
第１の土壌７と多孔質マット材８と第２の土壌９とは、３層構造になる土壌層１２を構成し、土壌保持用トレー２内に充填された状態で、全体が吸水性シート材１０により覆われることにより、ユニット化されている。この土壌層１２ユニットが貯水用トレー１内に嵌め込まれるようにして設けられている。
【００２０】
土壌層１２を構成するポリプロピレンマットよりなる多孔質マット材８は、透水性が高く、土壌層１２全体としての保水性が低いので、土壌保持用トレー２の下部に耐根層を兼ねる貯水用トレー１（貯水量：１５Ｌ／ｍ2 ）を敷き、水を溜めておくことで毛細管現象によって土壌保持用トレー２へ水分を供給する。
毛細管現象を誘発するために、土壌保持用トレー２の内底部には第１の土壌７を充填するが、中間部にポリプロピレンマットよりなる多孔質マット材８があり、その上部には水が供給されず、植物の根が張るまでの間に、植物が水分不足で枯れる可能性がある。このため、土壌層１２が土壌保持用トレー２内に充填された状態で、全体を吸水性シート材１０により覆うことにより、上部まで毛細管現象により水が供給され、運搬中に土がこぼれることを防止し、施工の簡易性を向上させている。
【００２１】
その後は、図２（ｃ）に示すように、床面ＦＬ上に設置し、次いである程度成長した芝草１１を吸水性シート材１０上に敷設し、又は、植物の種を蒔いて、施水、あるいは必要に応じて施肥や目土などの施工を行えば、一つの緑化ユニット２０として完成することになる。必要に応じて、屋上や、バルコニーなどに緑化ユニット２０を一面に敷詰めることにより、一面を緑で覆うことができるほか、デザインや通路確保のために、適宜組合わせて敷設することもできる。
【００２２】
土壌層１２ユニットを、500 ×500 ×110mm 程度の大きさとし、１ユニット当たりの重さを１５kg以下として、貯水用トレー１内に嵌め込まれるようにして設けることにより、ユニット一つ当りの重量は、大人が持てる程度の重量であり、施工を簡易化し、施工後の移設も土壌ごと行え、植物への損傷も最小限度に抑えることが可能となる。
【００２３】
緑化ユニット２０の施工後は、定期的な施水、施肥、芝刈、その他の植生に必要なメンテナンスを継続することにより、漸次芝草は育成され、その根張りによって、吸水性シート材１０を貫通して土壌７，９内に浸透するとともに、表面側ではトレー１，２による境界が不明となる程度に繁茂し、外見上は、一般的土壌に植生されたものと同程度となる。
【図面の簡単な説明】
【００２４】
【図１】本発明の緑化ユニットのトレーを示す斜視図である。
【図２】（ａ）〜（ｃ）は同緑化ユニットの作成手順を示す断面説明図である。
【符号の説明】
【００２５】
１  貯水用トレー
２  土壌保持用トレー
３  突起
４  ボス
５  脚部
５ａ  連通孔
６  連通孔
７  第１の土壌
８  多孔質マット材
９  第２の土壌
１０  吸水性シート材
１１  芝草
１２  土壌層
２０  緑化ユニット
【図１】
0003141876.tif 000003
【図２】
0003141876.tif 000004